(57)【要約】【課題】プロジェクタ装置においてはレンズの取付けに際し、たとえば光軸方向に０．１ｍｍ以内というような、高い取付け位置精度が要求される。レンズの交換が可能なものにおいては、この要求を満たすようなレンズの着脱機構が必要である。【解決手段】レンズ鏡筒の外周に装着されたレンズアダプタのフランジ部を、プロジェクタ装置のベースに当接させたうえで、前記ベースに取付けられたレンズマウントにより前記ベースとの間で回動可能に挟まれたリング部材を回転させることで、レンズをプロジェクタ装置本体に固定する。【選択図】図１
2010072456.tif 000002
【特許請求の範囲】
【請求項１】
レンズを内蔵したレンズ鏡筒の外周部分に装着されるレンズアダプタと、前記レンズ鏡筒が挿入される装置本体のベースと、前記ベースの前記レンズ鏡筒を挿入される側に取付けられたレンズマウントと、該レンズマウントと前記ベースとの間に回転可能な状態で挟まれたリング部材とを含むレンズ取付け機構であって、
前記レンズアダプタは、前記レンズ鏡筒の外周を囲う筒状部材と、該筒状部材の一端にその外径方向に広がるフランジ部と、該筒状部材の他端にその外周方向に突出する複数個の突出部とを有し、
前記ベースと前記レンズマウントには、前記レンズ鏡筒が前記レンズアダプタの他端側から挿入されるためのレンズ挿入口を有し、
前記ベースと前記レンズマウントの前記レンズ挿入口の内周面および前記リング部材の内周面には、前記レンズ鏡筒の挿入方向に設けられた前記突出部と互いにおおよそ嵌め合う形状の溝部を有し、
前記ベースは前記取付けられたレンズマウントを除く前記レンズマウントの外周側に、レンズ取付け時に前記レンズアダプタの前記フランジ部と当接する当接面を有し、
前記レンズ鏡筒を前記装置本体に取付ける際には、前記リング部材を回転して前記リング部材の溝部を前記ベースと前記レンズマウントの溝部と略重ね、次いで前記レンズマウントのレンズ挿入口の前記溝部へ前記レンズアダプタの前記突出部を通し、次いで前記レンズアダプタの前記フランジ部が前記ベースの当接面に当接するまで前記レンズ鏡筒を挿入し、次いで前記リング部材を回転して前記リング部材の溝部を前記ベースと前記レンズマウントの溝部からずらし、前記ベースの前記溝部まで挿入された前記レンズアダプタの前記突出部が前記リング部材で固定されることを特徴とするレンズ取付け機構。
【請求項２】
請求項１に記載のレンズ取付け機構であって、前記ベースの当接面ないし前記フランジ部の当接面のうち少なくもいずれか一方の当接面には、前記ベースないし前記フランジの厚みを増加させるためのボスが形成され、該ボスにおいて前記ベースと前記フランジ部とが当接することを特徴とするレンズ取付け機構。
【請求項３】
請求項１に記載のレンズ取付け機構であって、
前記レンズアダプタの前記フランジ部に穴部を設け、
また、前記レンズマウントにおける前記穴部に対応する位置に突部を設け、
前記フランジ部の前記穴部と前記レンズマウントの前記突部とを合せることによって、前記レンズの光軸を中心とする回転方向における前記レンズアダプタの前記レンズマウントに対する位置決めを行うことを特徴とするレンズ取付け機構。
【請求項４】
請求項１ないし３のいずれか一項に記載のレンズ取付け機構と、レンズを内蔵し前記レンズ取付け機構により着脱自在であるレンズ鏡筒と、該レンズ鏡筒が取付けられる装置本体と、該装置本体のベースで位置決めされた光路機構とを有したことを特徴とするレンズ取付け機構を有するプロジェクタ装置。
【発明の詳細な説明】
【技術分野】
【０００１】
本発明はレンズ取付け機構、およびレンズ取付け機構を有するプロジェクタ装置に係わり、特にレンズの取付け位置の精度を向上できるレンズ取付け機構、およびレンズ取付け機構を有するプロジェクタ装置に関するものである。
【背景技術】
【０００２】
光学画像をスクリーンに投射して映出するためのプロジェクタ装置においては、スクリーンまでの距離や映出する画像の大きさが、使用する状況によって様々であるため、レンズを交換できるようになっている。一方、特に大型のプロジェクタ装置ではレンズの重量はかなり重くなるため、着脱を簡単にできる工夫が必要とされる。
【０００３】
特許文献１においてはレンズの着脱を容易にする方法として、プロジェクタ装置本体に設けたリング部材を回転することで着脱する方法が開示されている。
【０００４】
【特許文献１】特開２００４−１３３３５８号公報
【発明の開示】
【発明が解決しようとする課題】
【０００５】
前記特許文献では、レンズ鏡筒の外周に装着された鏡筒装着部材（以下、本発明ではレンズアダプタ）のフランジ部を、ベース本体部に取付けられており前記リング部材を前記ベース本体部（以下、本発明ではベース）との間に回動可能に挟む押さえ板（以下、本発明ではレンズマウント）に当接させたうえで、前記リング部材を回動することにより、レンズをプロジェクタ装置に取付けるようにしている。しかし、レンズの取付け位置に関しては極めて高い精度を要するものであり、特に光軸方向の位置精度をいっそう高める工夫が必要である。
【０００６】
本発明の目的はこの課題を解決し、レンズの取付け位置の精度を改善したレンズ取付け機構、およびレンズ取付け機構を有するプロジェクタ装置を提供することにある。
【課題を解決するための手段】
【０００７】
前記目的を達成するため本発明は、レンズを内蔵したレンズ鏡筒の外周部分に装着されるレンズアダプタと、前記レンズ鏡筒が挿入される装置本体のベースと、前記ベースの前記レンズ鏡筒を挿入される側に取付けられたレンズマウントと、該レンズマウントと前記ベースとの間に回転可能な状態で挟まれたリング部材とを含むレンズ取付け機構であって、前記レンズアダプタは、前記レンズ鏡筒の外周を囲う筒状部材と、該筒状部材の一端にその外径方向に広がるフランジ部と、該筒状部材の他端にその外周方向に突出する複数個の突出部とを有し、前記ベースと前記レンズマウントには、前記レンズ鏡筒が前記レンズアダプタの他端側から挿入されるためのレンズ挿入口を有し、前記ベースと前記レンズマウントの前記レンズ挿入口の内周面および前記リング部材の内周面には、前記レンズ鏡筒の挿入方向に設けられた前記突出部と互いにおおよそ嵌め合う形状の溝部を有し、前記ベースは前記取付けられたレンズマウントを除く前記レンズマウントの外周側に、レンズ取付け時に前記レンズアダプタの前記フランジ部と当接する当接面を有し、前記レンズ鏡筒を前記装置本体に取付ける際には、前記リング部材を回転して前記リング部材の溝部を前記ベースと前記レンズマウントの溝部と略重ね、次いで前記レンズマウントのレンズ挿入口の前記溝部へ前記レンズアダプタの前記突出部を通し、次いで前記レンズアダプタの前記フランジ部が前記ベースの当接面に当接するまで前記レンズ鏡筒を挿入し、次いで前記リング部材を回転して前記リング部材の溝部を前記ベースと前記レンズマウントの溝部からずらし、前記ベースの前記溝部まで挿入された前記レンズアダプタの前記突出部が前記リング部材で固定されることを特徴としている。
【発明の効果】
【０００８】
本発明によれば、レンズの取付け位置の精度を改善したレンズ取付け機構、およびレンズ取付け機構を有するプロジェクタ装置を提供でき、ユーザに対していっそう良好な画像を映出するレンズ取付け機構、およびレンズ取付け機構を有するプロジェクタ装置を提供できるという効果がある。
【発明を実施するための最良の形態】
【０００９】
以下、本発明の実施形態について図面を用いながら説明する。
まず図１〜図３に基づき説明する。図１は本発明の一実施例によるレンズ取付け機構を斜めから見た分解図である。前球レンズ１０を含むレンズ鏡筒１１には、おおよそ図中の引出し線を付した位置にレンズアダプタ１２が取付けられ、プロジェクタ装置本体のベース１５に対して着脱できるようにされている。ベース１５はプロジェクタ装置の構成要素を位置決めする際に基準となるものであり、その中心にはレンズ挿入口１５０が開いている。ベース１５にはレンズマウント１３が取付けられる。ベース１５とレンズマウント１３との間には回転可能な状態で挟まれたリング部材１４があり、後に説明するように、さきのレンズ鏡筒１１をプロジェクタ装置に取付けて固定する際に回転操作をされる。なお、レンズアダプタ１２、レンズマウント１３、リング部材１４にも、ベース１５と同様のレンズ挿入口が開いているが、これらには特に部品番号を与えずに説明する。１６はプリズム、１７は液晶パネルであって、プロジェクタ装置で映出するためのＲＧＢ３原色光はここで合成されて、レンズ側へ送られる。
【００１０】
図２は本発明の一実施例によるレンズ取付け機構を側面から見た分解図である。図１と同じ部品には同じ番号を付している。図２では特にレンズアダプタ１２について説明する。レンズアダプタ１２は、おおよそ図中の引出し線を付した位置に取付けられる。レンズ鏡筒１１の光軸方向に一定の厚みがあり、厚みに応じた筒状部材がレンズ鏡筒１１の外周を囲っている。また後に詳しく説明するように、その前玉レンズ１０側の一端にその外径方向に広がるフランジ部を有し、その他端（すなわちベース１５側の一端）にその外周方向に突出する複数個の突出部とを有している。
【００１１】
なお、図２において、レンズマウント１３には、突部１３２ａ、突部１３２ｂが設けられている。これは、レンズ鏡筒、若しくはレンズの光軸を中心とする回転方向におけるレンズ鏡筒、若しくはレンズの前記装置本体に対する位置決めを行う役目を有するものであるが、詳細については、後述する。
【００１２】
図３は本発明の一実施例によるレンズ取付け機構を用いた光学系の側面図である。ここでは図１、図２とは異なり、レンズ鏡筒１１、レンズアダプタ１２、レンズマウント１３、リング部材１４、ベース１５を組立てた状態を示している。なお、プリズム１６と液晶パネル１７については他の構成要素との位置関係を示しただけで、位置の固定方法を図示していないが、これらはベース１５を基準に位置が規定されるようになっている。但し、図面の煩雑化を避けるために、そのための構成要素は図示していない。
【００１３】
ここでプロジェクタ装置において、画像を映出するための光の生成方法につき、簡単に説明する。図３ではそのための構成要素のうち、液晶パネル１７以降のものを図示している。メタルハイドランプをはじめとする白色光源から発生された光は、プリズムによりＲＧＢ三原色光に分離される。この三原色光はさきの液晶パネル１７を透過する。液晶パネル１７の光透過率は映出する映像信号のＲＧＢ三原色信号により変調を受けている。このため映像信号のＲＧＢ三原色信号は液晶パネル１７で、対応する強度のＲＧＢ三原色光に変換される。その後、このＲＧＢ三原色光はプリズム１６で合成され、前球レンズ１０を含むレンズ鏡筒１１を通過して、図示しないスクリーンなどの表示部へ映像を映出する。
【００１４】
図３の破線で示したように、プリズム１６における光の出射面とレンズアダプタ１２の前記フランジ部のフランジ面との間の距離をフランジバックと呼ぶ。これを精度良く所定の値に合わせることが、良好な画像を映出する光学系を設計するうえで最も重要な事項の一つである。ベース１５に対するプリズム１６およびレンズアダプタ１２のフランジ面の距離を、如何に精度良く規定するかがポイントとなる。実際には光軸方向の取付け誤差を０．１ｍｍ以内とする必要がある。
【００１５】
次に図１〜図３の一実施例における本発明の特徴を説明する。レンズアダプタ１２の前記フランジ面は、従来はレンズマウント１３に当接させていた。この場合に問題になるのは、レンズアダプタ１２のフランジ面とベース１５との間にはレンズマウント１３を介することであり、この分だけ位置のバラツキが発生することになる。
レンズマウント１３はベース１５に対してネジ止めされるのが普通である。前玉レンズ１０を含むレンズ鏡筒１１は２〜３kgあるので、レンズの重量による上下方向のネジレが問題となる。レンズマウント１３そのものの厚さのバラツキや、表面粗さを所定値以内に抑えることも重要である。
【００１６】
そこで本発明においては、レンズアダプタ１２のフランジ面をレンズマウント１３ではなく、ベース１５に当接させることを特徴としている。ベース１５におけるレンズマウント１３の外周側へ当接させることとなる。このため、前記したレンズマウントの厚さのバラツキや表面加工精度による誤差を完全に排除できる。またベース１５におけるレンズ中心軸から径方向に大きく離れた位置で支えられることから、レンズの重量による上下方向へのネジレを低減できる。プリズム１６と同様に、レンズアダプタ１２のフランジ面をベース１５そのものを基準にして固定できるなど、前記したレンズの取付け位置の精度を改善する効果がある。
【００１７】
ここでプロジェクタ装置の全体の構成について、図面を用いて説明する。図１２は、本発明に係るプロジェクタ装置の光学系構成の一実施例を示す図である。これに基づいて動作を説明する。
【００１８】
光源２０１は、例えば、超高圧水銀ランプ、メタルハライドランプ、キセノンランプ、水銀キセノンランプ、ハロゲンランプ、等の白色光源である。リフレクタ２０２は、楕円形の反射面を有し、例えば、円形、若しくは多角形の出射開口部を有する。また、光源２０１とリフレクタ２０２は光源ユニットと総称することもある。偏光ビームスプリッタ２０６は、入射した光をその偏光成分により分離させるフィルタである（フィルタ面に対してＰ偏光成分を透過、Ｓ偏光成分を反射する）。また、アイリスユニットの１組の遮光板である左遮光板２０５０−１と右遮光板２０５０−２は、光軸を挟んで対称形である。
【００１９】
図１２において、光源２０１から出射される光は、リフレクタ２０２で反射されて光軸にほぼ平行な光としてレフレンズ２０３を介して第１のインテグレータ２０４に出射する。第１のインテグレータ２０４は、複数のレンズセルをマトリックス状に配設したもので、レフレンズ２０３から入射した光を複数の光に分割して、アイリスユニットを通過して、第２のインテグレータ２０５と偏光ビームスプリッタ２０６へ効率良く導く。偏光ビームスプリッタ２０６は、第２のインテグレータ２０５からの光を所定の偏光方向に揃える。
【００２０】
偏光された光は集光レンズ２０７において集光され、ここではダイクロイックミラー２０１１と２０１２にて、Ｒ光（赤色光）、Ｂ光（青色光）、及びＧ光（緑色光）に色分離される。
【００２１】
Ｒ光はダイクロイックミラー２０１１で反射し、さらに反射ミラー２０１０で反射して、コンデンサレンズ２０１３を通してＲ光用の液晶パネル２０１８に入射する。
【００２２】
またダイクロイックミラー２０１１で透過されたＢ光とＧ光の内、Ｂ光はダイクロイックミラー２０１２で反射し、コンデンサレンズ２０１４を通してＢ光用液晶パネル２０１９に入射する。
【００２３】
一方Ｇ光はダイクロイックミラー２０１２を透過し、反射ミラー２０８と２０９で反射し、またリレーレンズ２０１５、２０１６、２０１７を通過して、Ｇ光用の液晶パネル２０２０上に入射する。各色光が液晶パネルに入射するまでの光路長は、Ｇ光は他のＲ，Ｂ光よりも大きい構成としている。
【００２４】
上記の光学系により、第１のインテグレータ２０４の各レンズセルの投影像は、それぞれ集光レンズ２０７、コンデンサレンズ２０１３、２０１４、及びリレーレンズ２０１５〜２０１７のそれぞれにより液晶パネル上に重ね合わせられる。
【００２５】
即ち、第１のインテグレータ２０４と液晶パネル２０１８〜２０２０とは、互いに物体と像の関係（共役関係）になるように配置されている。
【００２６】
また、第２のインテグレータ２０５と集光レンズ２０７は、第１のインテグレータ２０４で複数に分割された光束を、均一性の高い照度分布にて各液晶パネル２０１８〜２０２０に照射させる。このように、第１のインテグレータ２０４から液晶パネル２０１８〜２０２０までの間の照明手段により、均一な照度分布を得ることができる。
【００２７】
ここでＧ光の光路について更に説明する。Ｇ光はダイクロイックミラー２０１２を透過し、反射ミラー２０８で反射され、液晶パネル２０２０と光学的に共役な位置に一度結像する。更に、第１のリレーレンズ２０１５、反射ミラー２０８、第２のリレーレンズ２０１６、反射ミラー２０９、第３のリレーレンズ２０１７の作用によって、Ｇ光用の液晶パネル２０２０上に再度結像される。
【００２８】
ここに、第１のリレーレンズ２０１５から第３のリレーレンズ２０１７までの間の光学系をリレーレンズ系と呼ぶ。このように、リレーレンズ系を設けることで、Ｇ光の光路長が他のＲ、Ｂ光の光路長より大きい場合でも、正常な位置に結像するよう補正することができる。
【００２９】
各液晶パネル２０１８〜２０２０では、図示しない映像信号に応じて光変調されて光学像が形成される。これらの液晶パネル２０１８〜２０２０を透過したＲ光、Ｂ光、Ｇ光は、プリズム（光合成手段）２０２１によってカラー映像として合成される。その後、例えばズームレンズのような投射レンズ（投射光学系）２０２２を通過し、スクリーン２０２３に拡大投射される。
【００３０】
なお、図１２では、煩雑さを避けるため、照明光学系の機能を説明するための主要な構成要素のみ図示して説明している。また、図１２のプリズム２０２１は図１のプリズム１６に、図１２の液晶パネル２０１８〜２０２０は図１の液晶パネル１７（１７ａ〜１７ｃ）にそれぞれ相当している。
【００３１】
次に図４〜図６を使用して、レンズアダプタ１２につき詳しく説明する。図４は本発明のレンズ取付け機構に用いるレンズアダプタ１２を前面（図１の手前側）から見た平面図である。図５は同じく後面（図１のベース１５側）から見た平面図である。図６は同じく側面図であり、図４の右側（図５の左側）から見たものである。ここでは主に図６を用いて説明する。
【００３２】
図６で示すように、レンズアダプタ１２はさきのレンズ鏡筒１１の光軸方向に一定の厚みがあり、厚みに応じた筒状部材１２４がレンズ鏡筒１１の外周を囲うようになっている。その前玉レンズ１０側（図６の左側）の一端にその外径方向に広がるフランジ部を有する。さきのフランジ面を１２０で示す。鏡筒部材１２４の他端（すなわちベース１５側の一端）にその外周方向に突出する複数個の突出部１２１ａ〜１２１ｄとを有している。このほかレンズの制御信号を授受するためのコネクタ端子を取付けるスペース１２３がある。この制御信号はズーム、フォーカス合わせなどの動作に係わるが、本発明との関連は薄いので説明を省略する。さらにフランジ面にはフランジ部の肉厚を部分的に、図面上で右側に厚くするためのボス１２２ａ〜１２２ｄが設けられている。ボス１２２ａ〜１２２ｄについては、後に詳しく述べる。
【００３３】
ここで突出部は１２１ａ〜１２１ｄの４個で示したが、これは本発明の限定条件ではない。後記するようにこれは、レンズ鏡筒１１をベース１５に取付けるためのものである。２個以下では不充分であるが、一般には３個以上あれば必要な取付け強度を得ることができる。またボス１２２ａ〜１２２ｄについても４個に限定されるものではなく、またその形状も図５で示したような丸型に限られるものではない。
【００３４】
次に図４、図５と図７〜図１０を用いて、レンズ鏡筒１１をベース１５へ取付けて固定する方法について説明する。図７と図８は本発明の一実施例によるレンズ取付け機構の斜視図である。図９は図７で示したレンズ取付け機構の分解図である。図１０は図８で示したレンズ取付け機構の分解図である。
【００３５】
まず図７に基づいて説明する。ここで１４０はリング部材１４と一体のレバーであり、レンズマウント１３とベース１５との間に回転可能な状態で挟まれたリング部材１４を回転させるためのものである。１５２ａ〜１５２ｄはベース１５の肉厚を部分的に、図面上で手前側に厚くするためのボスである。このボスもまた数や形状を図７のように限定するものではない。ベース１５のレンズ挿入口１５０の内周面には溝部１５１ａ〜１５１ｄが設けられている。これも４個に限定するものではない。同様にレンズマウント１３の内周面には溝部１３１ａ〜１３１ｄが、リング部材の内周面には溝部１４１ａ〜１４１ｄが設けられている。ここでは図面の煩雑化を避けるために、１３１ｃ、１４１ｃ、１５１ｃのみに符号を付しているが、これより時計回りにたとえば１３１ｄ、１３１ａ、１３１ｂの順で、同様の溝部が設けられている。これらは図４で示したレンズアダプタ１２のベース１５側（図４では奥側）の一端に設けられた突出部１２１ａ〜１２１ｄと、互いに嵌め合う形状となっている。但し、特別互いに嵌め合う形状としなくとも良く、単に溝部に突出部１２１ａ〜１２１ｄが通るようにする形状であっても良い。
【００３６】
図７ではこれらの溝部１３１ａ〜１３１ｄ、１４１ａ〜１４１ｄ、１５１ａ〜１５１ｄが互いに重なる位置に置かれている。これはレンズ鏡筒１１をベース１５に取付ける（ないし取外す）時の位置である。この位置にある時の、レンズの光軸方向への分解図を図９に示している。
【００３７】
レンズ鏡筒１１をベース１５に取付ける場合につき説明する。レンズ鏡筒１１には図４で示すレンズアダプタ１２が取付けられている。突出部１２１ａ〜１２１ｄをレンズマウント１３の溝部１３１ａ〜１３１ｄに通す。この状態で図７の奥側へ挿入すると、さきの突出部１２１ａ〜１２１ｄが溝部１４１ａ〜１４１ｄを通り、溝部１５１ａ〜１５１ｄに到る。この時ベース１５のボス１５２ａ〜１５２ｄが、図５のレンズアダプタ１２のボス１２２ａ〜１２２ｄに当接し、レンズ鏡筒１１をレンズの光軸方向における所定の位置に位置させることができる。
【００３８】
その後レバー１４０を動かしてリング部材１４を回転させて、その溝部１４１ａ〜１４１ｄを移動させ、さきの溝部１３１ａ〜１３１ｄ、１５１ａ〜１５１ｄからずらし、たとえば図８に示す位置関係にすると、レンズ鏡筒１１はベース１５から外れることはなくなる。また図示していないがリング部材１４にはレンズアダプタ１２の突出部１２１ａ〜１２１ｄを、図７の手前側から奥側へ押付ける突出部があるために、レンズ鏡筒１１はベース１５に固定される。この位置にある時の、レンズの光軸方向への分解図を図１０に示している。
【００３９】
ここまで説明した取付け状態において、レンズアダプタ１２とベース１５はボス１２２ａ〜１２２ｄ、１５２ａ〜１５２ｄが互いに当接して相対的な位置を決めており、レンズマウント１３はこれに関係していない。従来のようにレンズアダプタ１２とレンズマウント１３を当接させる場合と比べた効果を再度述べれば、レンズマウント１３の厚さのバラツキや表面加工精度による誤差を完全に排除できる。ボスを用いてベース１５におけるレンズ中心軸から径方向に大きく離れた位置で支えられることから、レンズの重量による上下方向へのネジレを低減できる。プリズム１６と同様に、レンズアダプタ１２のフランジ面はベース１５そのものを基準にして固定できるなどの効果がある。
【００４０】
ここで、レンズ鏡筒、若しくはレンズの光軸を中心とする回転方向におけるレンズ鏡筒、若しくはレンズの前記装置本体に対する位置決めについて、説明をする。
【００４１】
図４において、レンズアダプタ１２には、穴部１２５ａ、穴部１２５ｂが設けられている。この穴部１２５ａ、穴部１２５ｂと、図２に示すレンズマウント１３の突部１３２ａ、突部１３２ｂとは、対応する位置となるようにされる。
【００４２】
従って、前記レンズ鏡筒を前記装置本体に装着する際に、前記レンズマウント１３の突部１３２ａ、突部１３２ｂを、前記レンズアダプタ１２の穴部１２５ａ、穴部１２５ｂの位置に合うように、レンズ鏡筒、若しくはレンズの光軸を中心とする回転方向における位置合わせをする。
【００４３】
別の言い方をすると、前記レンズマウント１３の突部１３２ａ、突部１３２ｂと、前記レンズアダプタ１２の穴部１２５ａ、穴部１２５ｂとを合せれば、レンズ鏡筒、若しくはレンズの光軸を中心とする回転方向における、レンズ鏡筒、若しくはレンズの前記装置本体に対する位置決めが出来ることとなる。従って、光軸を中心とする回転方向での位置合わせの精度を改善するには、突部１３２ａ、突部１３２ｂ、穴部１２５ａ、穴部１２５ｂの各々の位置の精度を向上させるようにすれば良いこととなる。
【００４４】
なお、本実施例における図２、図４では、突部１３２ａと穴部１２５ａとが嵌め合わされ、また、突部１３２ｂと穴部１２５ｂとが嵌め合わされることで位置合わせするものが例示されている。しかしながら、双方を相互に嵌め合わせることに限定されるものでなく、相互の位置を固定出来るのであれば、別の手段を用いるものであっても良い。
【００４５】
更には、図２では、突部１３２ａ、突部１３２ｂがレンズマウント１３に設けられているが、これに限定されるものではなく、他の位置決めを行えるもの、部位であれば良く、例えば、ベース１５に設けられるものであっても良い。よって、上記ベース１５に設けられるボス１２２ａ〜１２２ｄを用いるものであっても良い。
【００４６】
次に本発明の別な一実施例について説明する。図１１は本発明の別な一実施例によるレンズ取付け機構の斜視図である。ここではレンズマウント１３、リング部材１４がベース１５ではなく、第２の可動ベース１９に取付けられた場合を示している。プロジェクタ装置ではレンズの平面方向の位置を微調整するための、レンズ移動機構を有する場合がある。この時は図１１で示した第１の可動ベース１８と第２の可動ベース１９を設け、いずれか一方でＸ軸方向へ、残る一方でＹ軸方向へレンズを移動できるようにしている。なお、その移動機構については本発明の狙いから外れるので、図示していない。第２の可動ベース１９には、前記の実施例と同様の溝部１９１ａ〜１９１ｄとボス１９２ａ〜１９２ｄが設けられている。
【００４７】
図１１の場合は図７の場合に比べ、第１の可動ベース１８、第２の可動ベース１９の加工精度によるレンズ取付け位置の誤差が発生することになる。しかし、第１の可動ベース１８と第２の可動ベース１９を有することを前提としたプロジェクタ装置においては、やはりレンズマウント１３に起因する取付け位置の誤差は図７の場合と同様に排除できるし、第２の移動ベース１９におけるレンズ中心軸から径方向に大きく離れた位置で支えられることから、レンズの重量による上下方向へのネジレを低減できる効果も同様に得ることができるので、本発明の範疇にある。
【００４８】
次に図５で示したレンズアダプタ１２のボス１２２ａ〜１２２ｄ、図７で示したベース１５のボス１５２ａ〜１５２ｄについて述べる。これらの数が４個に限定されず、形状も図面で示したものに限定されないことは既に述べたとおりである。さらにボス１２２ａ〜１２２ｄがあって、ボス１５２ａ〜１５２ｄがない場合、またその逆の場合もあり得る。さらにレンズアダプタ１２にボス１２２ａ、ボス１２２ｃだけがあり、ベース１５にボス１５２ｂと１５２ｄだけがある場合もあり得る。その他にも同様な変形例が考えられるが、要はレンズアダプタ１２をレンズマウント１３に当接させずに、ベース１５に当接させるだけのアパーチャがあれば良いのであり、いずれの場合も本発明の範疇にある。
【００４９】
さらにボス１２２ａ〜１２２ｄ、１５２ａ〜１５２ｄに相当するものを全く用いない方法も考えられる。たとえば図７のレンズ挿入口１５０の手前側を径方向に広げて、レンズマウント１３、リング部材１４をその内部に設けた場合には、レンズアダプタ１２をベース１５に当接するうえで障害になるものはなくなり、前記したボスは不要となる。これも本発明の範疇にある。
【００５０】
以上、本発明について詳細に説明したが、本発明は、ここに記載されたレンズ取付け機構、およびレンズ取付け機構を有するプロジェクタ装置の実施例に限定されるものではなく、他のレンズ取付け機構、およびレンズ取付け機構を有するプロジェクタ装置にも広く適用できることは言うまでもない。
【図面の簡単な説明】
【００５１】
【図１】本発明の一実施例によるレンズ取付け機構を斜めから見た分解図である。
【図２】本発明の一実施例によるレンズ取付け機構を側面から見た分解図である。
【図３】本発明の一実施例によるレンズ取付け機構を用いた光学系の側面図である。
【図４】本発明のレンズ取付け機構に用いるレンズアダプタを前面から見た平面図である。
【図５】本発明のレンズ取付け機構に用いるレンズアダプタを後面から見た平面図である。
【図６】本発明のレンズ取付け機構に用いるレンズアダプタの側面図である。
【図７】本発明の一実施例によるレンズ取付け機構の斜視図である。
【図８】本発明の一実施例によるレンズ取付け機構の斜視図である。
【図９】図７で示したレンズ取付け機構の分解図である。
【図１０】図８で示したレンズ取付け機構の分解図である。
【図１１】本発明の別な一実施例によるレンズ取付け機構の斜視図である。
【図１２】プロジェクタ装置の光学系構成の一実施例を示す図である。
【符号の説明】
【００５２】
１１：レンズ鏡筒、１２：レンズアダプタ、１３：レンズマウント、１４：リング部材、１５：ベース、１６：プリズム、１７：液晶パネル、１８：第１の可動ベース、１９：第２の可動ベース、１２０：フランジ部、１２１：突出部、１２２：ボス、１２４：筒状部材、１３１：溝部、１４０：レバー、１４１：溝部、１５１：溝部、１５２：ボス、１９２：ボス。
【図１】
2010072456.tif 000003
【図２】
2010072456.tif 000004
【図３】
2010072456.tif 000005
【図４】
2010072456.tif 000006
【図５】
2010072456.tif 000007
【図６】
2010072456.tif 000008
【図７】
2010072456.tif 000009
【図８】
2010072456.tif 000010
【図９】
2010072456.tif 000011
【図１０】
2010072456.tif 000012
【図１１】
2010072456.tif 000013
【図１２】
2010072456.tif 000014